(57)【要約】【課題】部品数を増やすことなく、組み立てが容易で品位を高く維持することができる端子カバー部材を備える電子機器を提供する。【解決手段】デジタルカメラは、開口部５３ｄを有し、カメラベース５４に固定されるサイドカバー５３と、腕部５０ａを有し、腕部５０ａが開口部５３ｄを通して進退することによりサイドカバー５３に対して開閉可能に配置される端子カバー５０と、を備える。端子カバー５０が引き出された際に、腕部５０ａの先端の上突起部５０ｂと下突起部５０ｃがサイドカバー５３の側面部５３ｅ，５３ｆに突き当たる。このとき、上突起部５０ｂと下突起部５０ｃにおける腕部５０ａ側の面は側面部５３ｅ，５３ｆと当接し、上突起部５０ｂと下突起部５０ｃの腕部５０ａ側の面と当接する側面部５３ｅ，５３ｆの面は端子カバー５０を引き出す方向と略平行となっている。【選択図】図３
2020106659.tif 000002
【特許請求の範囲】
【請求項１】
筐体と、
開口部を有し、前記筐体に固定される第１のカバー部材と、
腕部を有し、前記腕部が前記第１のカバー部材の前記開口部を通して進退することにより前記第１のカバー部材に対して開閉可能に配置される第２のカバー部材と、を備える電子機器であって、
前記第２のカバー部材は、
前記腕部の先端に設けられ、前記第２のカバー部材が前記第１のカバー部材に対して引き出された際に前記第１のカバー部材の側面部に突き当たることで第２のカバー部材の引き出しを制限する突起部を有し、
前記第２のカバー部材が引き出された際に、前記突起部における前記腕部の側の面が前記側面部と当接し、前記腕部の側の面と当接する前記側面部の面は前記第２のカバー部材を引き出す方向と略平行であることを特徴とする電子機器。
【請求項２】
前記突起部において前記側面部に突き当たる面の法線と前記側面部において前記突起部と突き当たる面の法線とは、５０°乃至８０°の角度をなすことを特徴とする請求項１に記載の電子機器。
【請求項３】
筐体と、
開口部を有し、前記筐体に固定される第１のカバー部材と、
腕部を有し、前記腕部が前記第１のカバー部材の前記開口部を通して進退することにより前記第１のカバー部材に対して開閉可能に配置される第２のカバー部材と、を備える電子機器であって、
前記第２のカバー部材は、
前記腕部の先端に設けられ、前記第２のカバー部材が前記第１のカバー部材に対して引き出された際に前記第１のカバー部材の側面部に突き当たることで第２のカバー部材の引き出しを制限する突起部を有し、
前記第２のカバー部材が引き出された際に前記突起部から前記側面部へ作用する力は、前記第１のカバー部材を前記筐体に対して固定する方向と直交する方向に作用することを特徴とする電子機器。
【請求項４】
前記第２のカバー部材の前記突起部は、第２のカバー部材の引き出し方向と直交する方向において対称となるように２カ所に設けられていることを特徴とする請求項１乃至３のいずれか１項に記載の電子機器。
【請求項５】
前記第２のカバー部材は、閉状態で前記筐体に取り付けられた外部接続用端子を覆うことを特徴とする請求項１乃至４のいずれか１項に記載の電子機器。
【請求項６】
前記第１のカバー部材は、前記第２のカバー部材が開状態にあるときに前記外部接続用端子の先端を外観に露出させる外装部材であることを特徴とする請求項５に記載の電子機器。
【請求項７】
前記第１のカバー部材は、前記筐体に対して１本の締結用ねじで固定されていることを特徴とする請求項１乃至６のいずれか１項に記載の電子機器。
【請求項８】
前記締結用ねじは、前記第１のカバー部材の前記開口部の近傍において、前記第２のカバー部材を引き出したときに、前記第２のカバー部材から前記第１のカバー部材へ作用する荷重を受ける位置に配置されることを特徴とする請求項７に記載の電子機器。
【請求項９】
前記第２のカバー部材は、軟質材料で成形されていることを特徴とする請求項１乃至８のいずれか１項に記載の電子機器。
【請求項１０】
開口部を有し、筐体に固定される第１のカバー部材と、
腕部を有し、前記腕部が前記第１のカバー部材の前記開口部を通して進退することにより前記第１のカバー部材に対して開閉可能に配置される第２のカバー部材と、を備える端子カバーユニットであって、
前記第２のカバー部材は、
前記腕部の先端に設けられ、前記第２のカバー部材が前記第１のカバー部材に対して引き出された際に前記第１のカバー部材の側面部に突き当たることで第２のカバー部材の引き出しを制限する突起部を有し、
前記第２のカバー部材が引き出された際に、前記突起部における前記腕部の側の面が前記側面部と当接し、前記腕部の側の面と当接する前記側面部の面は前記第２のカバー部材を引き出す方向と略平行であることを特徴とする端子カバーユニット。
【発明の詳細な説明】
【技術分野】
【０００１】
本発明は、電子機器及び端子カバーユニットに関し、特に、電子機器に設けられた外部接続用端子を保護するための構成に関する。
【背景技術】
【０００２】
デジタルカメラ等の電子機器には、様々なオプションやコンピュータ等の外部機器を接続するための外部接続用端子が設けられている。そして、外部接続用端子が非使用状態にあるときには、外部接続用端子を覆うように端子カバーを設けることで、外部接続用端子を保護する構造が知られている。
【０００３】
例えば、図６（ａ）は、従来のデジタルカメラにおける外部接続用端子及び端子カバーの構成例を示す斜視図である。図６（ａ）には、端子カバー１０５が開かれて、外部接続用端子１０６が外観に露出した状態が示されている。端子カバー１０５は、端子カバー腕部１０５ａがカメラ本体１０１の内部に対して進退することにより開閉可能に保持されている。
【０００４】
不図示であるが、端子カバー１０５が閉じられて外部接続用端子１０６が端子カバー１０５によって覆われた状態とすることで、外部接続用端子１０６への外部からの塵埃の侵入を防止することができる。一方、端子カバー１０５を開いて外部接続用端子１０６を外部に露出させることで、不図示の接続端子ケーブルを外部接続用端子１０６接続することが可能になり、接続端子ケーブルを介してデジタルカメラと外部機器との間での各種データの送受信が可能となる。
【０００５】
外部接続用端子１０６の周囲は、端子カバー１０５と略同サイズのサイドカバー１０８で覆われており、サイドカバー１０８はカメラ本体１０１を構成する筐体に対して２本の締結用ねじ１０７で固定されている。
【０００６】
図６（ｂ）は、図６（ａ）に示す矢視Ｄ−Ｄでの断面図であり、端子カバー腕部１０５ａの上下中央線を横断した構造を示している。端子カバー１０５が開かれた状態では、サイドカバー１０８とグリップカバー１０４の隙間から端子カバー腕部１０５ａが引き出されている。ここで、サイドカバー１０８の側面部１０８ａと端子カバー腕部１０５ａの先端に形成された三角形状の凸部１０５ｂとが突き当たることで、端子カバー腕部１０５ａの引き出しが係止されている。
【０００７】
また、特許文献１には、所定の位置まで引き出すことが可能なカバー部材に、閉状態での浮き上がりを防止する嵌合部と、閉状態のカバー部材を引き出すための指掛け部を設けた構成が記載されている。特許文献２には、２本の引き出し部の先端にそれぞれ係合部が形成されたカバー部材と、引き出し部が挿入される挿入穴と、挿入穴の略中央部分に係合部の幅寸法よりも小さい幅寸法の切り欠きが形成される外装部材とを有する電子機器が開示されている。
【先行技術文献】
【特許文献】
【０００８】
【特許文献１】特開２００６−２０１２５１号公報
【特許文献２】特開２００８−２８１７４号公報
【発明の概要】
【発明が解決しようとする課題】
【０００９】
しかしながら、図６に示した構成では、サイドカバー１０８の側面部１０８ａにおいて凸部１０５ｂが当接する面は、カメラ本体１０１の内部へ向いている。そのため、端子カバー１０５では、端子カバー１０５を図６（ｂ）に示す引き出し方向Ｅに更に引き出そうとすると、側面部１０８ａから荷重方向Ｆに荷重を受ける。この荷重方向Ｆは、サイドカバー１０８をカメラ本体１０１の外観側へ浮き上がらせる方向である。そのため、端子カバー腕部１０５ａを挟むように上下２本の締結用ねじ１０７を配して、サイドカバー１０８の浮き上がりを防止する必要がある。この場合、サイドカバー１０８の組み立てに２本の締結用ねじ１０７を必要とすることでコストが嵩み、また、組立工数が増える。
【００１０】
また、特許文献１，２に記載されたカバー部材では、引き出し部先端の係止形状が引き出し方向に対して垂直に形成されている。そのため、カバー部材を引き出す際に電子機器本体側のカバーが引き出し方向へ引っ張られるため、その力に抗するための締結用ねじ等が必要となり、よって、図６に示した構成と同様の問題を抱えている。
【００１１】
本発明は、部品数を増やすことなく、組み立てが容易で、開状態と閉状態のいずれでも品位を高く維持することができる端子カバー部材を備える電子機器を提供することを目的とする。
【課題を解決するための手段】
【００１２】
本発明に係る電子機器は、筐体と、開口部を有し、前記筐体に固定される第１のカバー部材と、腕部を有し、前記腕部が前記第１のカバー部材の前記開口部を通して進退することにより前記第１のカバー部材に対して開閉可能に配置される第２のカバー部材と、を備える電子機器であって、前記第２のカバー部材は、前記腕部の先端に設けられ、前記第２のカバー部材が前記第１のカバー部材に対して引き出された際に前記第１のカバー部材の側面部に突き当たることで第２のカバー部材の引き出しを制限する突起部を有し、前記第２のカバー部材が引き出された際に、前記突起部における前記腕部の側の面が前記側面部と当接し、前記腕部の側の面と当接する前記側面部の面は前記第２のカバー部材を引き出す方向と略平行であることを特徴とする。
【発明の効果】
【００１３】
本発明によれば、部品数を増やすことなく、組み立てが容易で、開状態と閉状態のいずれでも品位を高く維持することができる端子カバー部材を備える電子機器を提供することができる。
【図面の簡単な説明】
【００１４】
【図１】実施形態に係るカメラ本体の外観斜視図である。
【図２】端子カバーを開状態として端子カバーユニットの構成を示す斜視図である。
【図３】端子カバーユニットの分解斜視図である。
【図４】端子カバーの腕部の側面図及び下面図である。
【図５】図２に示す矢視Ａ−Ａでの断面図である。
【図６】従来の外部接続用端子及び端子カバーの構成例を示す図である。
【発明を実施するための形態】
【００１５】
以下、本発明の実施形態について添付図面を参照して詳細に説明する。ここでは、本発明に係る電子機器として、デジタルカメラを取り上げることとするが、本発明はデジタルカメラに限定されるものではない。
【００１６】
図１は、本発明の実施形態に係るデジタルカメラのカメラ本体１０を背面側から見た外観斜視図である。カメラ本体１０の背面側には、撮影者が被写体像を観察する光学ファインダ部２０と、撮影画像の再生や撮像素子からの撮影スルー画像を表示する背面モニター部３０が設けられている。また、カメラ本体１０の背面側から見て右側には、撮影者がカメラ本体１０を把持するグリップカバー４０が設けられており、グリップカバー４０の近傍、且つ、後方側に、端子カバー５０（第２のカバー部材）が設けられている。図１には、端子カバー５０が閉じられた状態（閉状態）が示されている。端子カバー５０が閉状態となっているときには、不図示の外部接続用端子は端子カバー５０に覆われており、よって、外部接続用端子への外部からの塵埃の侵入が防止されている。端子カバー５０は、例えば、ゴム弾性を有する樹脂材料（所謂、エラストマー）等の軟質材料で成形されており、閉状態ではカメラ本体１０に対して圧入されることで固定されている。
【００１７】
図２は、端子カバーユニットの構成を、端子カバー５０が開いた状態（開状態）で示す斜視図である。端子カバー５０は、一部が露出している腕部５０ａがカメラ本体１０の内部に進退することで開閉可能に配置されている。端子カバー５０が開状態になると、外部接続用端子５１が外部に露出し、不図示の接続端子ケーブルを外部接続用端子５１に接続することができる。こうして、外部接続用端子５１を介して、カメラ本体１０と外部機器との間でデータ通信が可能になる。
【００１８】
外部接続用端子５１の周囲は端子カバー５０と略同サイズのサイドカバー５３（第１のカバー部材）で覆われている。サイドカバー５３は、外装部材の１つであり、樹脂で成形されている。サイドカバー５３は、カメラ本体１０を構成するカメラベース５４（図３参照）に対して１本の締結用ねじ５２で固定されている。
【００１９】
図３は、端子カバーユニットの分解斜視図である。なお、図３では、端子カバー５０とサイドカバー５３を除く外装部材（グリップカバー４０等）の図示を省略している。カメラ本体１０は、カメラベース５４を有する。カメラベース５４は、カメラ本体１０を構成する筐体であり、各種の外装部材や回路基板が取り付けられる土台となる部品（基台）である。カメラベース５４には、サイドカバー５３に加え、ハード基板５５が取り付けられている。ハード基板５５には、外部接続用端子５１である映像端子５１ａ（例えば、ＨＤＭＩ(登録商標）端子）とデータ端子５１ｂ（例えば、ＵＳＢ端子）が実装されている。サイドカバー５３には、映像端子５１ａとデータ端子５１ｂのそれぞれに対応した位置に第１の端子開口部５３ａと第２の端子開口部５３ｂが設けられており、端子カバー５０が開いた状態では、映像端子５１ａとデータ端子５１ｂの先端が外観に現れる。
【００２０】
サイドカバー５３をカメラベース５４に固定するための締結用ねじ５２は、サイドカバー５３に設けられたねじ用開口部５３ｃに挿入されて、カメラベース５４のビス穴部５４ａに締結される。これにより、サイドカバー５３はカメラベース５４に固定される。また、サイドカバー５３において端子カバー５０の腕部５０ａに対応する位置には、開口部５３ｄが設けられている。ここでは、サイドカバー５３に設けられた凹形状部とグリップカバー４０とで、四角穴形状の開口部５３ｄが形成される構造としている（図５参照）。端子カバーユニットが組み立てられた状態では、開口部５３ｄにおいて腕部５０ａが進退することで、端子カバー５０はサイドカバー５３に対して開閉可能に保持されている。
【００２１】
腕部５０ａの先端には、サイドカバー５３の開口部５３ｄよりも上下幅の大きい上突起部５０ｂと下突起部５０ｃが設けられている。端子カバー５０を引き出した際に、上突起部５０ｂと下突起部５０ｃがそれぞれ、サイドカバー５３の開口部５３ｄの上下に形成されている側面部５３ｅと側面部５３ｆに突き当たることで、腕部５０ａの引き出しが制限される。
【００２２】
図４（ａ）は、端子カバー５０の腕部５０ａの側面図である。図４（ｂ）は、端子カバー５０の腕部５０ａの下面図である。図４（ａ）に示すように、腕部５０ａの先端の上下２カ所に設けられた上突起部５０ｂと下突起部５０ｃは、上下対称形状を有する。図４（ｂ）示すように、下突起部５０ｃの腕部５０ａ側の面（側面部５３ｆに突き当たる面）は、逆勾配に傾斜した傾斜面５０ｄとなっている。本実施形態では、傾斜面５０ｄは、下突起部５０ｃの上面５０ｅに対して６５°の角度を持つ面として形成されているが、傾斜面５０ｄの角度はこれに限定されるものではなく、例えば５０°乃至８０°の範囲で任意に設定することができる。傾斜面５０ｄの角度が小さくなると、上突起部５０ｂと下突起部５０ｃのカメラ本体１０の内部への侵入深さが大きくなってしまう。逆に、傾斜面５０ｄの角度が大きくなると、腕部５０ａを屈曲させるために必要な負荷が上突起部５０ｂ及び下突起部５０ｃの近傍で大きくなってしまう。なお、上突起部５０ｂと下突起部５０ｃは上下対称形状であるため、下突起部５０ｃと同様に、上突起部５０ｂにも傾斜面５０ｆ（不図示）が設けられている。
【００２３】
図５は、図２中に示す矢視Ａ−Ａでの断面図である。端子カバー５０が開いている状態では、図５に示すようにグリップカバー４０とサイドカバー５３の開口部５３ｄとの隙間から腕部５０ａが引き出されている。ここで、下突起部５０ｃの傾斜面５０ｄがサイドカバー５３の側面部５３ｆに突き当たることで、腕部５０ａの引き出しが制限されている。下突起部５０ｃと上下対称形状を有する上突起部５０ｂについても同様である。つまり、上突起部５０ｂの傾斜面５０ｆ（不図示）がサイドカバー５３の側面部５３ｅに突き当たることで、腕部５０ａの引き出しが制限されている。
【００２４】
端子カバーユニットでは、端子カバー５０を引き出し方向Ｂ（図５の上方向）に更に引き出そうとすると、サイドカバー５３は、上突起部５０ｂと下突起部５０ｃのそれぞれが突き当たる側面部５３ｅ及び側面部５３ｆから荷重を受ける。なお、端子カバー５０の引き出し方向Ｂは、端子カバー５０が閉状態にあるときの上面（外観に現れる面）の法線方向と略平行な方向であり、また、締結用ねじ５２によりサイドカバー５３をカメラ本体１０に対して締結する（ねじ込む）方向と略平行な方向である。
【００２５】
サイドカバー５３において傾斜面５０ｄと当接する側面部５３ｆの面は、引き出し方向Ｂと略平行となっているため、サイドカバー５３には、サイドカバー５３をカメラ本体１０から浮き上がらせる方向への荷重は作用し難い。また、上突起部５０ｂと下突起部５０ｃそれぞれの腕部５０ａ側が傾斜面５０ｆと傾斜面５０ｄとなっており、引き出し方向Ｂの荷重は、サイドカバー５３に対して、端子カバー５０の引き出し方向Ｂと略直交する荷重方向Ｃへ分散しやすくなる。つまり、サイドカバー５３は、サイドカバー５３をカメラ本体１０に対して固定する方向（締結用ねじ５２を締結する方向）と直交する方向である荷重方向Ｃ（図５の左方向）へ主に荷重を受ける。
【００２６】
そこで、図２に示されるように本実施形態に係る端子カバーユニットでは、端子カバー５０からサイドカバー５３へ作用する荷重を受ける位置に配置される締結用ねじ５２により、サイドカバー５３をカメラ本体１０に固定している。このとき、サイドカバー５３を固定するための締結用ねじ５２は１本で十分である。つまり、サイドカバー５３を固定するめの部品である締結用ねじ５２は１本で済み、締結用ねじ５２を締結する工数も従来（例えば、図６に示した従来構成での２本）よりも少なくすることが可能となる。
【００２７】
以上の説明の通り、本実施形態によれば、部品数を増やすことなく、少ない部品数で端子カバー５０を操作した際のサイドカバー５３の浮き上がりを抑制することが可能な端子カバーユニットを実現することができる。つまり、低コストで、高品位の端子カバーユニットを提供することができる。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２９】
１０    カメラ本体
５０    端子カバー
５０ｂ    上突起部
５０ｃ    下突起部
５０ｄ，５０ｆ    傾斜面
５１    外部接続用端子
５３    サイドカバー
５３ｃ  ねじ用開口部
５３ｅ，５３ｆ    側面部
５４    カメラベース
【図１】
2020106659.tif 000003
【図２】
2020106659.tif 000004
【図３】
2020106659.tif 000005
【図４】
2020106659.tif 000006
【図５】
2020106659.tif 000007
【図６】
2020106659.tif 000008